(57)【要約】      （修正有）【課題】着脱が容易な介護用パジャマを提供する。【解決手段】上着とズボンを備えた介護用パジャマであって、上着とズボンとは、共に右半部分、左半身部分に左右対称に２分割され、これらの右半身部分、左半身部分とは、ボタンによって一体化可能とされるとともに、このボタンは、ボタン本体に２つの糸通し孔を有し、これら２つ糸通し孔を通した紐により、右半身部分又は左半身部分に固定され、且つこのボタンの本体の厚みは、１〜１.３ｍｍ以内、本体の表面は、化繊フェルトで覆われる。【選択図】図１
0003173233.tif 000002
【実用新案登録請求の範囲】
【請求項１】
上着とズボンを備えた介護用パジャマであって、前記上着とズボンとは、共に右半
半身（部分）、左半身（部分）に左右対称に２分割され、これらの右半身（部分）、左半身（部分）とは、ボタンによって一体化可能とされるとともに、このボタンは、ボタン本体に２つの糸通し孔を有し、これら２つ糸通し孔を通した紐により前記、右半身（部分）又は左半身（部分）に固定され、且つこのボタンの本体の厚みは、（１〜１.３ミリ以内）本体の表面は、化繊フェルトで覆われた介護用パジャマ。
【考案の詳細な説明】
【技術分野】
【０００１】
本考案は、医療の現場及び在宅にて患者の本来持っている病気以外で苦痛を虐げない着脱
可能な要素を持ち、尚かつ医療し易さを兼ねている。
【背景技術】
【０００２】
従来、医療現場では、術後及びベットより昇降不能な、患者にも週２回の入浴が義務とされ長い間のベット生活で、筋肉のリハビリが満足に為されぬまま固着の状態の体をパジャマ及び病着の介護段階での病着の着脱と患者のいたたまれない気持を楽にし脱着の困難さを克服しょうとする。
【０００３】
介護及び医療の現場での中で長くベット生活を虐げられている患者にとって筋肉の低下は
病気のほかに第2の病魔といえる。なぜなら筋肉が犯す人間の能力（立つ、座る、伸ばす）
といった行為が困難となり病着の着脱さえむずかしく困難をきわめる。
【０００４】
そこで、このような問題を解決するために、寝たまま左右脇より着脱出来る病着及び医療の現場で患者へ装着すべき医療器具も病着を着たまま装着する部分のみでの取り換え可能のパジャマが要望されている。
【０００５】
しかしながら従来使用されている病着は着物式、すなわち両脇に結び目がある部分が患者の身体に当たるため、身動き不能な患者にとっては、針のむしろ同然で、第２の病気を併発する元になる。元来あってはならないといえる。又着脱のパジャマ式はもっと無理である。
【０００６】
特開２００４−３１５９８０の介護用パジャマは、ズボンの交差部分が類似しているが、形態が違う、ズボンの部分がつなぎ様式であり、介護者の立場ではおむつ交換はし易いが、おむつより汚物が漏れることが多い大人には、不適当、その上、脱着がしにくい、短時間での交換がむずかしい。
【先行技術文献】
【特許文献】
【０００７】
【特許文献１】特開２００４−３１５９８０号
【考案の概要】
【考案が解決しようとする課題】
【０００８】
本考案の課題は、従来のパジャマ及び着物式が無理だとすると、結び目をボタン式に替え
そのボタンを従来のボタンでなく身体への負担なしのボタンに替えることそれ自体が第２の病気とならず、自然体でスムーズにベットで着脱でき、介護者にも負担軽減である。
【課題を解決するための手段】
【０００９】
上記目的を達成するために上着及びズボンは、左右対称の同じ状態を交差させ、上着については脇で特殊ボタンでとめる。もちろんボタンは従来の市販品では、患者の身体が傷つくことも大でありボタンに於いては特に脆くなった肌にとっては床ずれになる恐れも考えて、肌に優しくフイットし患者に違和感をいだかないボタンに到達し左右対称の簡単パジャマのふたつの相乗効果が大きい。
【００１０】
すなわち、本考案は以下の考案を包含する。
上着とズボンを備えた介護用パジャマであって、前記上着とズボンとは、共に右半
半身（部分）、左半身（部分）に左右対称に２分割され、これらの右半身（部分）、
左半身（部分）とは、ボタンによって一体化可能とされるとともに、このボタンは、
ボタン本体に２つの糸通し孔を有し、これら２つ糸通し孔を通した紐により前記、右半身（部分）又は左半身（部分）に固定され、且つこのボタンの本体の厚みは、（１〜１.３ミリ以内）本体の表面は、化繊フェルトで覆われた介護用パジャマである。
【考案の効果】
【００１１】
本考案により、患者の入浴時における着脱、介護者の介護及び着物式では下半身の部分の
みだれと長い間のベット生活による身体（左右の足の密着による又ずれ予防）皮膚の老化、
での表面劣化防止。
【図面の簡単な説明】
【００１２】
【図１】図１は、前後一体化図である。
【図２】図２は、前後左右同一の上着である。
【図３】図３は、前後左右同一のズボンである。
【考案を実施するための形態】
【００１３】
本考案は、左右対称であるがゆえ男女兼用、左右前後一緒である。体を中心として前後の上着見頃にボタンで装着、体を中心として前後のズボンのウェスト部分へボタンで装着の形態をなしている。
【００１４】
本考案に用いる生地は、天然繊維、タオル地、布であれば素材に限定されない。
【００１５】
ボタンについては従来のボタンを使用すると表面の凸凹と厚みで患者の長い闘病生活と
患者特有の皮膚のもろさで肌を傷つけやすい。ゆえに表面は化繊フエルトにし、洗濯などで縮まぬように、下面には1〜1.3ミリぐらいのプラステックと片面ずつを圧着し  ボタンの丸みの部分はあくまで化繊フェルトで覆う様プラステックより少し大きめでカット、又ボタン穴に於いても従来の穴では、糸のほつれを考え４つの穴を２つとし、そこへ布テープを通し下の部分に縫いとどめる方法にする。
ボタンをフラットにすることで、介護用パジャマがより効果的に患者への効果が大きく貢献でき、パジャマを脱着させる介護人も、患者も難なく脱着可能であり時間短縮も可能、
この方法で下着も作成することができる。従来介護用の下着に両面テープが利用されていたが、洗濯した後両面テープに付着した諸々を取る事で時間を要し、又テープの角などで
皮膚を傷める場合も多く見受けられる。
【産業上の利用可能性】
【００１６】
本考案により、患者の入浴時における着脱、介護者の介護及び着物式では下半身の部分のみだれと長い間のベット生活による身体（左右の足の密着による又ずれ予防）皮膚の老化での表面劣化防止することができる。
【図１】
0003173233.tif 000003
【図２】
0003173233.tif 000004
【図３】
0003173233.tif 000005
【手続補正書】
【提出日】平成23年9月12日(2011.9.12)
【手続補正１】
【補正対象書類名】実用新案登録請求の範囲
【補正対象項目名】全文
【補正方法】変更
【補正の内容】
【実用新案登録請求の範囲】
【請求項１】
上着とズボンを備えた介護用パジャマであって、前記上着とズボンとは、共に右半身部分、左半身部分に左右対称に２分割され、これらの右半身部分、左半身部分とは、ボタンによって、一体化可能とされるとともに、このボタンは、ボタン本体に２つの糸通し孔を有し、これら２つ糸通し孔を通した紐により前記、右半身部分又は左半身部分に固定され、且つこのボタンの本体の厚みは、１〜１．３ｍｍ以内、本体の表面は、化繊フェルトで覆われた介護用パジャマ。
【手続補正２】
【補正対象書類名】明細書
【補正対象項目名】全文
【補正方法】変更
【補正の内容】
【考案の詳細な説明】
【技術分野】
【０００１】本考案は、医療の現場及び在宅にて患者の本来持っている病気以外で苦痛を虐げない着脱可能な要素を持ち、尚かつ医療し易さを兼ねている。
【背景技術】
【０００２】従来、医療現場では、術後及びベットより昇降不能な、患者にも週２回の入浴が義務とされ長い間のベット生活で、筋肉のリハビリが満足に為されぬまま固着の状態の体をパジャマ及び病着の介護段階での病着の着脱と患者のいたたまれない気持を楽にし脱着の困難さを克服しょうとする。【０００３】介護及び医療の現場での中で長くベット生活を虐げられている患者にとって筋肉の低下は病気のほかに第２の病魔といえる。なぜなら筋肉が犯す人間の能力すなわち、立つ、座る、伸ばすといった行為が困難となり病着の着脱さえむずかしく困難をきわめる。【０００４】そこで、このような問題を解決するために、寝たまま左右脇より着脱出来る病着及び医療の現場で患者へ装着すべき医療器具も病着を着たまま装着する部分のみでの取り換え可能のパジャマが要望されている。【０００５】しかしながら従来使用されている病着は着物式、すなわち両脇に結び目がある部分が患者の身体に当たるため、身動き不能な患者にとっては、針のむしろ同然で、第２の病気を併発する元になる。元来あってはならないといえる。又着脱のパジャマ式はもっと無理である。【０００６】特開２００４−３１５９８０の介護用パジャマは、ズボンの交差部分が類似しているが、形態が違う、ズボンの部分がつなぎ様式であり、介護者の立場ではおむつ交換はし易いが、おむつより汚物が漏れることが多い大人には、不適当、その上、脱着がしにくい、短時間での交換がむずかしい。
【先行技術文献】
【特許文献】
【０００７】
【特許文献１】特開２００４−３１５９８０号
【考案の概要】
【考案が解決しようとする課題】
【０００８】本考案の課題は、従来のパジャマ及び着物式が無理だとすると、結び目をボタン式に替えそのボタンを従来のボタンでなく身体への負担なしのボタンに替えることそれ自体が第２の病気とならず、自然体でスムーズにベットで着脱でき、介護者にも負担軽減である。
【課題を解決するための手段】
【０００９】上記目的を達成するために上着及びズボンは、左右対称の同じ状態を交差させ、上着については脇で特殊ボタンでとめる。もちろんボタンは従来の市販品では、患者の身体が傷つくことも大でありボタンに於いては特に脆くなった肌にとっては床ずれになる恐れも考えて、肌に優しくフイットし患者に違和感をいだかないボタンに到達し左右対称の簡単パジャマのふたつの相乗効果が大きい。【００１０】すなわち、本考案は以下の考案を包含する。
上着とズボンを備えた介護用パジャマであって、前記上着とズボンとは、共に右半身部分、左半身部分、に左右対称に２分割され、これらの右半身部分、左半身部分とは、ボタンによって一体化可能とされるとともに、このボタンは、ボタン本体に２つの糸通し孔を有し、これら２つ糸通し孔を通した紐により前記、右半身部分又は左半身部分に固定され、且つこのボタンの本体の厚みは、１〜１．３ｍｍ以内、本体の表面は、化繊フェルトで覆われた介護用パジャマである。
【考案の効果】
【００１１】本考案により、患者の入浴時における着脱、介護者の介護及び着物式では下半身の部分のみだれと長い間のベット生活による身体で左右の足の密着による又ずれ予防、皮膚の老化、での表面劣化防止。
【図面の簡単な説明】
【００１２】
【図１】  図１は、前後一体化図である。
【図２】  図２は、前後左右同一の上着である。
【図３】  図３は、前後左右同一のズボンである。
【考案を実施するための形態】
【００１３】本考案は、左右対称であるがゆえ男女兼用、左右前後一緒である。体を中心として前後の上着見頃にボタンで装着、体を中心として前後のズボンのウェスト部分へボタンで装着の形態をなしている。
【００１４】本考案に用いる生地は、天然繊維、タオル地、布であれば素材に限定されない。
【００１５】ボタンについては従来のボタンを使用すると表面の凸凹と厚みで患者の長い闘病生活と患者特有の皮膚のもろさで肌を傷つけやすい。ゆえに表面は化繊フェルトにし、洗濯などで縮まぬように、下面には１〜１．３ｍｍぐらいのプラステックと片面ずつを圧着し  ボタンの丸みの部分はあくまで化繊フェルトで覆う様プラステックより少し大きめでカット、又ボタン穴に於いても従来の穴では、糸のほつれを考え４つの穴を２つとし、そこへ布テープを通し下の部分に縫いとどめる方法にする。
ボタンをフラットにすることで、介護用パジャマがより効果的に患者への効果が大きく貢献でき、パジャマを脱着させる介護人も、患者も難なく脱着可能であり時間短縮も可能、この方法で下着も作成することができる。従来介護用の下着に両面テープが利用されていたが、洗濯した後両面テープに付着した諸々を取る事で時間を要し、又テープの角などで皮膚を傷める場合も多く見受けられる。
【産業上の利用可能性】
【００１６】  本考案により、患者の入浴時における着脱、介護者の介護及び着物式では下半身の部分のみだれと長い間のベット生活による身体左右の足の密着による又ずれ予防皮膚の老化での表面劣化防止することができる。